(57)【要約】【目的】電子ブック携帯端末に読者の読書状況を記録しておき、通信手段によって読書状況を得ることによって、多くの正確なマーケッティング情報として出版社に提供することができる電子ブックシステムを提供すること。【構成】複数のデジタル書籍を格納する記憶装置と、デジタル書籍を取り込むための通信手段を備え、読者が操作する入力手段と、読者がデジタル書籍を読書するための表示装置を備えた電子ブック携帯端末と、多数のデジタル書籍を格納する記憶装置と、電子ブック携帯端末を操作する読者の操作によって、電子ブック携帯端末にデジタル書籍を配信するための通信手段とを持つオンライン電子ブックサーバにおいて、読者が電子ブック携帯端末にオンライン電子ブックサーバより書籍をダウンロードした後、電子ブック携帯端末は読者の読書中の読書状況を自動的に記録し、読書状況を通信手段によって出版社に通知する。【選択図】      図１
2004252869.tif 000002
【特許請求の範囲】
【請求項１】
複数のデジタル書籍を格納する記憶装置と、デジタル書籍を取り込むための通信手段を備え、読者が操作する入力手段と、読者がデジタル書籍を読書するための表示装置を備えた電子ブック携帯端末と、多数のデジタル書籍を格納する記憶装置と、電子ブック携帯端末を操作する読者の操作によって、電子ブック携帯端末にデジタル書籍を配信するための通信手段とを持つオンライン電子ブックサーバにおいて、
読者が電子ブック携帯端末にオンライン電子ブックサーバより書籍をダウンロードした後、電子ブック携帯端末は読者の読書中の読書状況を自動的に記録し、読書状況を通信手段によって出版社に通知することを特徴とする電子ブックシステム。
【請求項２】
読書状況には、書籍のタイトル、書籍がダウンロードされた日時、ページが表示されてから次ページに進む間の各ページの表示時間、各ページの表示回数、ページの表示順序、表示がオートパワーオフで終了したか、全てのページが表示されたか、最後まで読み終えたかどうか、しおりを挟んだページ、読者が書き込んだ内容及び読者の年齢、性別等の読者プロフィール等を含むことを特徴とする請求項１記載の電子ブックシステム。
【請求項３】
電子ブック携帯端末には、ページ毎の読者の状況を検知するセンサーを搭載し、読書状況には、ページ毎のセンサーの記録を含むことを特徴とする請求項１記載の電子ブックシステム。
【請求項４】
電子ブック携帯端末に搭載するセンサーには、読者が電子ブック携帯端末を持っている手の汗の量を測定する接触センサーや、顔の写真を撮影し熱分布を測定するセンサー、眼球の動きからページのどの部分を見ていたかを測定する等を含むことを特徴とする請求項３記載電子ブックシステム。
【発明の詳細な説明】
【０００１】
【発明の属する技術分野】
本発明は、出版社がデジタル書籍を発行し、出版社が保有するサーバに蓄積されたデジタル書籍を読者が通信手段を用いて読者が保有する電子ブック携帯端末に購入して、ダウンロードして電子ブック携帯端末の表示部において読書する電子ブックシステムに関する。
【０００２】
【従来の技術】
従来紙の本を使って書籍を読書していたが、近年、小型で電力消費の少ない液晶ディスプレィ等の開発により、小型表示装置を搭載した携帯端末にデジタルの書籍を保存し、小型表示装置に表示して読書する電子ブックと呼ばれる形態が普及しつつある。嵩張る本を何冊も持ち歩く必要がなく、又、書籍店に本を買いに行かずとも、通信手段を使って用意に書籍を購入することができて大変便利である。
【０００３】
出版社は、従来、著者より預かった原稿を紙に印刷して販売を行い、読者は本を購入して紙の本を読書していた。一方、電子ブックではコンピュータ上にデジタル原稿として入力し、サーバにデジタル書籍として保管する。読者は、出版社のサーバより読者の電子ブック携帯端末に通信手段を使ってダウンロードする。読者はダウンロードの際、出版社にクレジットカードの番号を通知する等して書籍料金を支払う。
【０００４】
紙の書籍が、デジタル原稿のデジタル書籍になっても、どの書籍が売れ筋か、読者は書籍のどこが一番興味を覚えて読んだか、等の読書状況の把握は、本の出版企画の際に非常に情報となる。
【０００５】
しかし、売れ筋の書籍を企画するためのマーケッティング材料としては、ダウンロードされた回数やアンケートに答えてもらうという、従来の紙の書籍と同様な方法しかなかった。
【０００６】
【発明が解決しようとする課題】
しかしながら、このような方法では、読者が本当に気に入って売れているのか、どの位の時間を掛けて読んだか、読者がどの部分に強い興味を覚えたか等、書籍企画のマーケッティングに重要な情報を得ることはできない。
【０００７】
アンケート調査結果は重要なマーケッティングに成り得るが、添付したアンケートを返信してくれる読者はごく一部であり、更に、読者の主観的な状況しかなく、曖昧なマーケッティング情報とならざるを得ない。
【０００８】
出版社が、より効率的で大ヒットする書籍を企画するためには、読者の読書中の読書状況を客観的に把握することは非常に重要であるが、適切な方法はなかった。
【０００９】
本発明は上記事情に鑑みてなされたもので、その目的とする処は、電子ブック携帯端末に読者の読書状況を記録しておき、通信手段によって読書状況を得ることによって、多くの正確なマーケッティング情報として出版社に提供することができる電子ブックシステムを提供することにある。
【００１０】
【課題を解決するための手段】
上記目的を達成するため、本発明は、複数のデジタル書籍を格納する記憶装置と、デジタル書籍を取り込むための通信手段を備え、読者が操作する入力手段と、読者がデジタル書籍を読書するための表示装置を備えた電子ブック携帯端末と、多数のデジタル書籍を格納する記憶装置と、電子ブック携帯端末を操作する読者の操作によって、電子ブック携帯端末にデジタル書籍を配信するための通信手段とを持つオンライン電子ブックサーバにおいて、読者が電子ブック携帯端末にオンライン電子ブックサーバより書籍をダウンロードした後、電子ブック携帯端末は読者の読書中の読書状況を自動的に記録し、読書状況を通信手段によって出版社に通知することを特徴とする。
【００１１】
【発明の実施の形態】
以下に本発明の実施の形態を添付図面に基づいて説明する。
【００１２】
＜実施の形態１＞
実施例１の請求項１及び請求項２の発明における電子ブックシステムの構成を、図面を参照して説明する。
【００１３】
図１は実施の形態に係る電子ブックシステムの相関図である。先ず、デジタル書籍が読書されるまでの過程について説明する。
【００１４】
図１において、１０１はデジタル書籍の原稿を執筆する著者、１０２はデジタル書籍を著者より受け取り、発行する出版社、１０３はデジタル書籍を保管するサーバ、１０４は読書状況を読者より収集し、出版社に伝えるマーケッティングリサーチ会社、１０５はデジタル書籍の読者であり、１０６は読者１０５が所持する電子ブック携帯端末である。
【００１５】
出版社１０２は、著者１０１に書籍の執筆を依頼する。著者１０１は書籍の執筆を行い、完成した書籍を出版社１０２に渡し、出版社１０２から著者１０１は原稿料をもらう。又は、出版社１０２が原稿を著者１０１に依頼せず、著者１０１が自主的に出版社１０２に持ち込んでも良い。出版社１０２は、渡された原稿をオンラインデジタル化し、チェックを行いサーバー１０３に格納する。
【００１６】
読者１０５は、電子ブック携帯端末１０６を購入する。ここではデジタル書籍のリーダを便利だと思われる携帯端末としているが、出版社１０２及びマーケッティングリサーチ会社１０４と通信できる形態であり、出版社１０２が発行した書籍を取得でき、書籍を読書することができれば、必ずしも持ち運べるものでなく、自宅等に固定式出あっても構わない。
【００１７】
読者１０５は、出版社１０２が保持するサーバ１０３に格納されているデジタル書籍を１つ又は複数、電子ブック携帯端末１０６にダウンロードし、読者１０５は出版社１０２に対価を支払う。
【００１８】
読者１０５は、電子ブック携帯端末１０６を操作してダウンロードされたデジタル書籍を読書する。
【００１９】
次に、読者がデジタル書籍の読書に使用する電子ブック携帯端末について説明する。図２は本発明の実施の形態１における電子ブック携帯端末の概観図である。図２において、２０１は操作ボタン、２０２は液晶表示装置、２０３はアンテナである。
【００２０】
実施の形態１では、読者が読書し易い携帯端末の形を示しているが、自宅やオフィスに固定する固定タイプあっても構わない。
【００２１】
読者が出版社とネットワークで接続するため、電子ブック携帯端末には、無線通信装置が組み込まれており、ＰＨＳの電波及び電話回線によりインターネットに接続され、出版社のサーバーと接続するため、アンテナ２０３を有する。実施の形態１では、携帯に利便性の高い無線装置を内蔵しているが、出版社及びマーケッティングリサーチ会社と接続できる通信手段を備えていれば、無線でなくても有線でも構わない。
【００２２】
読者は、本実施の形態の電子ブック携帯端末を操作するために、表示部２０２及びボタン２０１を有する。本実施の形態では、表示部２０２にＴＦＴカラー液晶を搭載しているが、デジタル書籍を読書でき、又、ダウンロード等の操作を行えるものであれば、文字や図形を表示できる表示装置であれば、プラズマディスプレィやブラウン管等でも構わない。
【００２３】
読者は、表示部２０２及びボタン２０１を用いて、出版社のサーバと接続し、デジタル書籍を選別し、ダウンロードを行う。ダウンロード後、デジタル書籍を開いて、表示部２０２にデジタル書籍の内容を表示して読書を行う。１  ページを読み終えるとボタン２０１を操作して次ページを表示して読書することができる。
【００２４】
読者は、ボタン２０１を操作して、１ページ単位に順にページをめくる以外に、機能ボタンと決定ボタンを操作して、メニューを表示し、任意のページを開くこともできる。
【００２５】
又、任意のページにしおりマークを添付しておくことができる。機能ボタンと決定ボタンを用い、しおりを付けたページ一覧を表示させ、一覧からページを選別し、しおりを付けたページを開くことができる。同様に、文字単位でマークを付けることもでき、任意のページよりマークのあるページを開くこともできる。又、ページに文字や記号を書き込むこともできる。
【００２６】
次に、電子ブック携帯端末の内部構成を図３を使って説明する。
【００２７】
図３において、３０１は全体の制御を行うＣＰＵ、３０２は読者が操作したボタン類を制御する操作部、３０３は液晶表示装置を制御しデジタル書籍の内容等を表示する表示部、３０４は時刻を測るタイマー、３０５はメモリカードを接続するメモリカードアダプター、３０６はメモリカード、３０７はＲＡＭ／ＲＯＭメモリ、３０８は通信部、３０９はアンテナである。
【００２８】
ＣＰＵ３０１は、ＲＯＭメモリ３０１に書き込まれたプログラムによって制御される。ここでは、ＲＯＭメモリに書き込まれているが、ＣＰＵを実行させ得るプログラムを保持できる記憶装置であれば、ＲＯＭメモリ以外であっても構わない。
【００２９】
デジタル書籍は、アンテナ３０９及び通信部３０８によって、出版社のサーバと接続され、本実施の形態の電子ブック携帯端末にダウンロードされる。本実施の形態では、電子ブック携帯端末と出版社のサーバは、ＰＨＳ無線電話で接続されたインターネットプロバイダを介してインターネットで接続されているが、デジタル書籍のダウンロードができれば、有線等の他の接続方法でも構わない。
【００３０】
ダウンロードしたデジタル書籍は、メモリカードアダプター３０５を介して接続されたメモリカード３０６に格納する。本実施の形態では、メモリカードにデジタル書籍を格納したが、長期保存ができる記憶装置であれば、本体内フラッシュメモリ等の他の記憶装置でも構わない。
【００３１】
読者は、操作部３０２及び表示部３０３を使用して操作を行う。表示部３０３は、ドットマトリックス式液晶表示装置でデジタル書籍の内容を表示し、デジタル書籍を選択するためのメニュー類を表示する。操作部３０２は、ボタンから信号をＣＰＵに伝える。本実施の形態ではボタンを使用したが、ＣＰＵに読者の意思を伝達できる装置であれば、他の方式でも良い。本実施の形態では、ドットマトリックス式液晶表示装置を用いたが、操作に必要なメニュー等の表示及びデジタル書籍の表示ができれば他の方式でも良い。液晶板上にペン式タッチパネル張り合わせ、ペンで操作できる、操作部３０２と表示部３０３を組み合わせた方式等でも良い。
【００３２】
図２において、読者はボタン２０１及び液晶表示装置２０２を操作して、出版社から任意のデジタル書籍をダウンロードし、液晶表示装置２０２にデジタル書籍の内容を表示して読書を行う。
【００３３】
液晶表示装置２０２では、デジタル書籍の内容とページ番号が１ページずつ表示されるが、部分的に拡大表示を行うことができる。又、縮小表示もでき、その場合、１  画面で複数のページを行うことができる。又、任意のページ番号を指定して、任意のページを表示することができる。又、しおり等のマークを任意のページ、文字に添付することができ、しおりのあるページに任意のページから移り表示することができる。又、任意のページに任意の文字、マークを書き込むこともできる。
【００３４】
本実施の形態１では、請求項１及び請求項２の発明に基づき、読者が読書中の、ページを表示していた時間、再表示された回数、オートパワーオフされたか、等、読書状況をページ毎に記憶装置に記録しておく。
【００３５】
読者が全ページの読書を終了すると、自動的にマーケッティングリサーチ会社にデジタル読書状況を送信する。マーケッティングリサーチ会社では、収集した読書状況をまとめて出版社に渡す。読書状況は、分析して、読者の嗜好、難解度、どの表現に注目が集まっているか等、次回の書籍出版の企画の際に非常に重要なデータであるので、マーケッティングリサーチ会社は、出版社から対価を受け取る。
【００３６】
特開平６−２３１１８７号に見られるように、書籍の内容により、１  ページの読書に掛ける時間を標準時間として計算することができ、読書にページを表示する時間が標準時間より長い場合には、ページに興味がある、又は、難解であると見なすことができる。又、表示された回数が多いということは、非常に興味があるページであると見なすことができる。
【００３７】
しかしながら、オートパワーオフ機能が働いて表示が中断した場合は、読書中に読書が放棄されたと見なすこともできるので、出版社は、次回の書籍出版企画立案に際し、大変重要な情報を得ることができる。マーケッティングリサーチ会社が仲介することで、マーケッティングリサーチ会社は、情報の収集、分析によって収入を得ることができる。著者に読書状況をフィードバックして、より売れる原稿を依頼するのに役立つ。
【００３８】
本実施の形態１の発明では、読書終了後に読書状況をマーケッティングリサーチ会社に送信されるとしたが、マーケッティングリサーチ会社と出版社が同一であっても構わない。又、本実施の形態１の発明では、読書終了後に読書状況を自動的にマーケッティングリサーチ会社に送信されるとしたが、アンケートを用意し、読者の年齢、性別等の読者のプロフィール及び読書アンケートを送信する形式にして、その際に読書状況を添付して送信できるようにしても良い。
【００３９】
読書状況から得られた情報を分析し、各読者にお勧め出版リストを表示し、その中からダウンロードした場合、情報フィードバックに対する報酬として、料金を割り引く方式も考えられる。
【００４０】
請求項１及び請求項２記載の発明は、実施の形態１では、電子ブックリーダーとして携帯端末を使用したが、ＰＣのＷＷＷホームページによるデジタル書籍の配信の場合にも応用できる。
【００４１】
＜実施の形態２＞
実施の形態２の請求項３及び請求項４の発明における電子ブックシステムの構成を図面を参照して説明する。
【００４２】
デジタル書籍が読書されるまでの過程の説明及び読書状況がフィードバックされる仕組みは、実施の形態１と同様なので割愛し、実施の形態１との際についてのみ説明を行う。
【００４３】
実施の形態２では、図４に見られるように、電子ブック携帯端末は、レンズと赤外線を感知するＣＣＤ及び手に持った接触センサーを装備する。図５においても、レンズと赤外線を感知するＣＣＤ及び手に持った接触センサーを追加している。
【００４４】
赤外線センサーは、読書中の読者の顔の表面の温度を測定する。顔の温度は感情によって変化するため、顔の表面温度を測定することにより、読者の興奮状況を把握することができる。眼球の動きを記録することにより、ページのどの部分を見ていたかを調べることができるようになる。
【００４５】
又、接触センサーは、手にかいた汗の状況を電気伝導率として測定する。汗の状況により読者の緊張状態を把握することができる。
【００４６】
接触センサー及び赤外線センサーのデータ平均値等を表示されているページ毎に記録し、マーケッティングリサーチ会社が入手することにより、更に詳しいマーケッティング情報を得ることができる。
【００４７】
【発明の効果】
以上説明したように、本発明によれば、出版社がデジタル書籍を発行し、出版社が保有するサーバに蓄積されたデジタル書籍を読者が通信手段を用いて読者が保有する電子ブック携帯端末に購入して、ダウンロードして電子ブック携帯端末の表示部において読書する電子ブックシステムにおいて、
出版社は、比較的安価に、読者の読書状況を把握することができ、次回の出版企画に重要なマーケッティング情報を得ることができる。従って、マーケッティング情報を収集する会社を運営し、収入を得ることもでき、著者はより売れる原稿の執筆に役立てることができる。
【００４８】
又、各種センサーを電子ブック携帯端末に取り付けることにより、より多種の読書状況を記録することができ、更に詳細なマーケッテイング情報を入手可能になる。
【００４９】
これらにより、出版社は読者の嗜好を的確に掴み、より良い書籍の企画に役立ち、読者にもメリットが大きくなる。
【図面の簡単な説明】
【図１】本発明の実施の形態１に係る電子ブックシステムの相関図である。
【図２】本発明の実施の形態１に係る電子ブック携帯端末の概観図である。
【図３】本発明の実施の形態１に係る電子ブック携帯端末のブロック図である。
【図４】本発明の実施の形態２に係る電子ブック携帯端末の概観図である。
【図５】本発明の実施の形態２に係る電子ブック携帯端末のブロック図である。
【符号の説明】
１０１    デジタル書籍の著者
１０２    デジタル書籍を管理、発行する出版社
１０３    デジタル書籍を保管するサーバ
１０４    マーケッティングリサーチ会社
１０５    デジタル書籍の読者
１０６    電子ブック携帯端末
２０１    操作ボタン
２０２    液晶表示装置
２０３    アンテナ
３０１    ＣＰＵ
３０２    操作部
３０３    表示部
３０４    タイマー
３０５    メモリカードアダプター
３０６    メモリカード
３０７    ＲＡＭ／ＲＯＭメモリ
３０８    通信部
３０９    アンテナ
４０１    操作ボタン
４０２    液晶表示装置
４０３    アンテナ
４０４    赤外線センサー
４０５    接触センサー
５０１    ＣＰＵ
５０２    操作部
５０３    表示部
５０４    タイマー
５０５    メモリカードアダプター
５０６    メモリカード
５０７    ＲＡＭ／ＲＯＭメモリ
５０８    通信部
５０９    アンテナ
５１０    センサー制御部
５１１    ＣＣＤ
５１２    レンズ
５１３    接触センサー
【図１】
2004252869.tif 000003
【図２】
2004252869.tif 000004
【図３】
2004252869.tif 000005
【図４】
2004252869.tif 000006
【図５】
2004252869.tif 000007